(57)【要約】【目的】各家庭等に設置された機器に対して一斉制御を可能にすることができる放送受信装置を提供する。【構成】例えば地震などの災害が発生した場合或いは地震予知性能が向上して数秒後に地震が発生すると予想される場合、所定機関からの要請を受けて放送事業者が運転停止指令情報をディジタル放送波に多重して送信する。放送受信装置３０は運転停止指令情報をディジタル放送波から取り出し、運転停止を指示するリモコン信号をファンヒーター用リモコン送信機２３に出力させ、ファンヒーター２４の消火を行う。【選択図】　　　　　　　　図１
2004112371.tif 000002
【特許請求の範囲】
【請求項１】
ディジタル放送波を受信して機器制御情報を取り出す手段と、前記機器制御情報として省エネ指令情報を受信したときに電力消費量を低減させるための指令信号を生成して空気調節機器に向けて送出する手段と、を備えたことを特徴とする放送受信装置。
【請求項２】
ディジタル放送波を受信して機器制御情報を取り出す手段と、前記機器制御情報として運転停止指令情報を受信したときに燃焼機器の運転を停止させるための指令信号を生成して燃焼機器に向けて送出する手段と、を備えたことを特徴とする放送受信装置。
【請求項３】
請求項１又は請求項２に記載の放送受信装置において、機器制御情報に不随する指定地域情報を受信し、自身の設置地域と一致したときに前記指令信号を送出するように構成されたことを特徴とする放送受信装置。
【請求項４】
空気調節を行う機器であって、ディジタル放送波を受信して機器制御情報を取り出す手段と、前記機器制御情報として省エネ指令情報を受信したときに電力消費量を低減させる操作を実行する手段と、を備えたことを特徴とする放送受信機能付き機器。
【請求項５】
燃焼処理を行う機器であって、ディジタル放送波を受信して機器制御情報を取り出す手段と、前記機器制御情報として運転停止指令情報を受信したときに運転停止操作を実行する手段と、を備えたことを特徴とする放送受信機能付き機器。
【請求項６】
請求項４又は請求項５に記載の放送受信装置において、機器制御情報に不随する指定地域情報を受信し、自身の設置地域と一致したときに前記操作を実行するように構成されたことを特徴とする放送受信機能付き機器。
【請求項７】
ディジタル放送波を受信する放送受信装置と空気調節を行う機器とから成る放送受信制御システムであって、放送受信装置はディジタル放送波を受信して機器制御情報を取り出して前記機器に出力し、前記機器は機器制御情報として省エネ指令情報を入力したときに電力消費量を低減させる操作を実行するように構成されたことを特徴とする放送受信制御システム。
【請求項８】
ディジタル放送波を受信する放送受信装置と燃焼処理を行う機器とから成る放送受信制御システムであって、放送受信装置はディジタル放送波を受信して機器制御情報を取り出して前記機器に出力し、前記機器は機器制御情報として運転停止指令情報を入力したときに運転停止操作を実行するように構成されたことを特徴とする放送受信制御システム。
【請求項９】
請求項７又は請求項８に記載の放送受信制御システムにおいて、放送受信装置は機器制御情報に不随する指定地域情報を受信して前記機器に出力し、前記機器は自身の設置地域と一致したときに前記操作を実行するように構成されたことを特徴とする放送受信制御システム。
【発明の詳細な説明】
【０００１】
【産業上の利用分野】
この発明は、ディジタル放送波を受信する放送受信装置及び放送受信機能付き機器及び放送受信制御システムに関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、災害発生時などに緊急警報放送を送信し、この緊急警報放送を受信装置に強制受信させる仕組みを用意している。受信装置は、ＴＭＣＣ（Ｔｒａｎｓｍｉｓｓｉｏｎ　ａｎｄ　Ｍｕｌｔｉｐｌｅｘｉｎｇ　Ｃｏｎｆｉｇｕｒａｔｉｏｎ　Ｃｏｎｔｒｏｌ）信号に含まれる起動制御ビットを監視し、起動制御ビットが０から１に変わると、起動制御ビットが１である間受信チャンネルのＰＭＴ（Ｐｒｏｇｒａｍ　Ｍａｐ　Ｔａｂｌｅ）中の緊急警報記述子を監視する。このとき、「ｓｔａｒｔ＿ｅｎｄ＿ｆｌａｇ＝１」且つ「ａｒｅａ＿ｃｏｄｅ＝受信装置に設定された県域指定の地域指定子」であれば、ＰＭＴ中のｓｅｒｖｉｃｅ＿ｉｄに記述されたチャンネルを選局して緊急警報放送（ＥＷＳ）を受信することになる。
【０００４】
また、従来より、携帯電話等を利用して外出先から自宅に設置されている機器を制御するようにした遠隔操作システムが知られている。
【０００５】
なお、従来の遠隔操作システムとしては、無線ページングシステムを利用して道路交通掲示板の表示内容を制御するものがある（特許文献１参照）。
【０００６】
【特許文献１】
特開平６−３１１２５４号
【０００７】
【発明が解決しようとする課題】
しかしながら、上記従来の遠隔操作システムでは、例えば地震等の災害が起きた場合に個別に対応することになり、被災地域における各家庭の燃焼機器の停止操作を一斉に行わせるといったことはできない。また、各家庭でのエアコンディショナー（空気調節機器）の省電力運転を個別には行うことができても、真夏の電力需要がピークになる時間帯に一斉に行うといった処理は不可能であり、発電設備の増大に歯止めをかけることを困難にしている。
【０００８】
この発明は、上記の事情に鑑み、各家庭等に設置された機器に対して一斉制御を可能にする放送受信装置及び放送受信機能付き機器及び放送受信制御システムを提供することを目的とする。
【０００９】
【課題を解決するための手段】
この発明の放送受信装置は、上記課題を解決するために、ディジタル放送波を受信して機器制御情報を取り出す手段と、前記機器制御情報として省エネ指令情報を受信したときに電力消費量を低減させるための指令信号を生成して空気調節機器に向けて送出する手段と、を備えたことを特徴とする。
【００１０】
上記の構成であれば、電力不足時に電力会社からの要請を受けて放送事業者が省エネ指令情報をディジタル放送波に多重して送信すれば、各家庭等に設置されている放送受信装置はこの省エネ指令情報に基づき空気調節機器の運転電力を一斉にダウンさせて電力需要のピーク値を抑制することができる。
【００１１】
また、この発明の放送受信装置は、ディジタル放送波を受信して機器制御情報を取り出す手段と、前記機器制御情報として運転停止指令情報を受信したときに燃焼機器の運転を停止させるための指令信号を生成して燃焼機器に向けて送出する手段と、を備えたことを特徴とする。
【００１２】
上記の構成であれば、地震などの災害発生時に放送事業者が運転停止指令情報をディジタル放送波に多重して送信すれば、各家庭等に設置されている放送受信装置はこの運転停止指令情報に基づき燃焼機器の運転を一斉に停止させて火災などの二次災害を未然に防ぐことができる。
【００１３】
これらの放送受信装置において、機器制御情報に不随する指定地域情報を受信し、自身の設置地域と一致したときに前記指令信号を送出するように構成されているのがよい。
【００１４】
また、この発明の放送受信機能付き機器は、空気調節を行う機器であって、ディジタル放送波を受信して機器制御情報を取り出す手段と、前記機器制御情報として省エネ指令情報を受信したときに電力消費量を低減させる操作を実行する手段と、を備えたことを特徴とする。
【００１５】
また、この発明の放送受信機能付き機器は、燃焼処理を行う機器であって、ディジタル放送波を受信して機器制御情報を取り出す手段と、前記機器制御情報として運転停止指令情報を受信したときに運転停止操作を実行する手段と、を備えたことを特徴とする。
【００１６】
すなわち、これらの構成においては、空気調節を行う機器或いは燃焼処理を行う機器自らがディジタル放送波を受信して機器制御情報を取り出す機能を備え、機器制御情報に基づき省電力運転を一斉に行ったり、運転を一斉に停止することになる。
【００１７】
これら放送受信機能付き機器において、機器制御情報に不随する指定地域情報を受信し、自身の設置地域と一致したときに前記操作を実行するように構成されているのがよい。
【００１８】
また、この発明の放送受信制御システムは、ディジタル放送波を受信する放送受信装置と空気調節を行う機器とから成る放送受信制御システムであって、放送受信装置はディジタル放送波を受信して機器制御情報を取り出して前記機器に出力し、前記機器は機器制御情報として省エネ指令情報を入力したときに電力消費量を低減させる操作を実行するように構成されたことを特徴とする。
【００１９】
また、この発明の放送受信制御システムは、ディジタル放送波を受信する放送受信装置と燃焼処理を行う機器とから成る放送受信制御システムであって、放送受信装置はディジタル放送波を受信して機器制御情報を取り出して前記機器に出力し、前記機器は機器制御情報として運転停止指令情報を入力したときに運転停止操作を実行するように構成されたことを特徴とする。
【００２０】
すなわち、これらのシステムにおいては、空気調節を行う機器或いは燃焼処理を行う機器が放送受信装置から機器制御情報を得て当該情報を判断し、省電力運転を一斉に行ったり、運転を一斉に停止することになる。
【００２１】
これらシステムにおいて、放送受信装置は機器制御情報に不随する指定地域情報を受信して前記機器に出力し、前記機器は自身の設置地域と一致したときに前記操作を実行するように構成されているのがよい。
【００２２】
【発明の実施の形態】
以下、この発明の実施形態を図１乃至図３に基づいて説明するが、ここではユーザが地上波ディジタル放送を視聴する場合を例示している。図１はこの実施形態のディジタル放送受信装置３０を示したブロック図であり、図２は放送受信機能付き機器の説明図であり、図３は放送受信機能付きエアーコンディショナー１０３の制御内容を示したフローチャートである。
【００２３】
図１において、アンテナ１は、地上波放送局から送られてくるディジタル放送信号を受信する。チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００２４】
デマルチプレクサ（ＤＥＭＵＸ）３は、チューナ２から出力されるトランスポートストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、及びＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）等に分離する。デマルチプレクサ３は、ビデオストリームとオーディオストリームをＡＶデコーダ４に供給し、ＰＳＩ／ＳＩをＣＰＵ１３に供給する。なお、前述のごとくトランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００２５】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００２６】
映像処理回路５は、ＡＶデコーダ４から映像データを受け取ってＤ／Ａ変換を行い、例えばコンポジット映像信号に変換する。音声信号処理回路６は、ＡＶデコーダ４から出力された音声データを受け取ってＤ／Ａ変換を行い、例えば右（Ｒ）音のアナログ信号及び左（Ｌ）音のアナログ信号を生成する。
【００２７】
映像出力回路７及び音声出力回路８は出力抵抗や増幅器等を備えて成る。ＡＶ出力端子９には出力部（左右音声出力端子等や映像出力端子等のセット）が設けられており、この出力部には、映像／音声コード１７によってＣＲＴ１６ａ及びスピーカ１６ｂを備えるモニタ１６が接続される。
【００２８】
ＯＳＤ回路１２は、ＣＰＵ１３から出力指示された文字情報や色情報に基づく映像データを生成して加算器２０に出力する。加算器２０は前記映像データをＡＶデコーダ４から出力される受信映像データに組み込む処理を行う。
【００２９】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００３０】
メモリ（ＲＡＭ、ＥＥＰＲＯＭ，フラッシュメモリ等）１４には、ＥＰＧ画面を表示するためのデータ（番組情報）や受信装置３０の設置地域情報の他、各メーカーのエアーコンディショナー及びファンヒーターのリモコンコードなどが格納される。
【００３１】
エアーコンディショナー用リモコン送信機２１は、エアーコンディショナー２２に指令を送出するための送信機であり、ＣＰＵ１３より指令を受け、指令内容を意味する信号光（リモコン信号）を図示しない発光部から出力する。ＣＰＵ１３は、各社のエアーコンディショナーにおけるリモコンコードに基づく指令処理を行うことができ、エアーコンディショナー２２に対する指令を行うときには、当該エアーコンディショナー用リモコン送信機２１を駆動する。
【００３２】
ファンヒーター用リモコン送信機２３は、燃焼機器であるファンヒーター２４に指令を送出するための送信機であり、ＣＰＵ１３より指令を受け、指令内容を意味する信号光（リモコン信号）を図示しない発光部から出力する。ＣＰＵ１３は、各社のファンヒーターにおけるリモコンコードに基づく指令処理を行うことができ、ファンヒーター２４に対する指令を行うときには、当該ファンヒーター用リモコン送信機２３を駆動する。
【００３３】
ＣＰＵ１３は、このディジタル放送受信装置３０における全体制御を行うものであるが、特にこの発明にかかる制御としてエアーコンディショナー２２及びファンヒーター２４の制御を実行するようになっている。なお、以下に説明する機器を制御するための機器制御情報は、放送事業者ごとのチャンネルにおいて送信されてもよいし、あるいは専用のチャンネルの放送に多重して送信されることとしてもよい。
【００３４】
例えば、夏季の電力使用過多により電力不足となった場合に、電力会社から要請を受けて放送事業者が省エネ指令情報をディジタル放送波に多重して送信すると、受信装置３０はこの省エネ指令情報をディジタル放送波から取り出し、パワーダウンを指令するリモコン信号をエアーコンディショナー用リモコン送信機２１に出力させ、エアーコンディショナー２２を制御して省電力運転を行わせる。例えば、エアーコンディショナー２２の現在の設定温度を１℃上げるリモコン信号を出力したり、或いは、省エネモード運転が用意されていれば、当該省エネ運転モードを選択させるリモコン信号などを出力してエアーコンディショナー２２を制御する。そして、電力不足が解消されると、電力会社から要請を受けて放送事業者は省電力解除情報を送信する。これを受信した放送受信装置３０は、パワーダウン解除を示すリモコン信号をエアーコンディショナー用リモコン送信機２１に出力させ、エアーコンディショナー２２を制御して省電力運転を解除することになる。
【００３５】
また、例えば地震などの災害が発生した場合或いは地震予知性能が向上して数秒後に地震が発生すると予想される場合、所定機関からの要請を受けて放送事業者が運転停止指令情報をディジタル放送波に多重して送信すればよい。放送受信装置３０は運転停止指令情報をディジタル放送波から取り出し、運転停止を指示するリモコン信号をファンヒーター用リモコン送信機２３に出力させ、ファンヒーター２４の消火を行う。
【００３６】
なお、緊急警報放送と同様に、ａｒｅａ＿ｃｏｄｅ（地域情報）を放送事業者が送出することとし、放送受信装置３０において、「ａｒｅａ＿ｃｏｄｅ＝受信装置に設定された県域指定の地域指定子」であれば、上述したエアコンディショナー２２やファンヒーター２４に対する処理を行うこととするのがよい。また、省電力運転指令時や運転停止指令時において、例えば「放送波による緊急指令によって燃焼機器の運転を停止させました」といったメッセージを画面表示及び／又は音声合成出力するようにしてもよい。
【００３７】
図２は放送受信機能付き機器の説明図である。この図では、エアーコンディショナーやファンヒーターがそれぞれ放送受信機能を備えており、放送局１０１から送信された放送波を一つのアンテナで受信し、これを分波器１０２を用いて各機器が受信するようにしている。各機器においては、受信した放送波のなかから機器制御情報を取り出せれば十分であり、ビデオストリーム等の処理機能部は備えていない。また、この実施形態では、緊急警報放送を送出する特定の放送局からの放送波のみをチューニングするように選局機能を簡素化している。
【００３８】
図３は、放送受信機能付きエアーコンディショナー１０３の処理を示したフローチャートである。放送受信機能付きエアーコンディショナー１０３における放送受信部はディジタル放送波を受信し（ステップＳ１）、機器制御情報があるかどうかを判断する（ステップＳ２）。機器制御情報がある場合には制御部への通知を行う（ステップＳ３）。制御部は、イベントの発生を常時監視しており（ステップＳ４）、イベントが通常のリモコン信号等である場合には受信したリモコン信号に基づき温度や風量等を制御する（ステップＳ５）。そして、イベントが放送受信部からの機器制御情報であれば、当該情報が省電力指示であるかどあうかを判断する（ステップＳ６）。省電力指示である場合には設定温度や風量を調節して省電力運転を実行させ（ステップＳ７）、省電力指示でない場合には省電力解除指示であるかどうかを判断する（ステップＳ８）。省電力解除指示であれば、省電力運転実行前の状態に戻す処理を行うことになる（ステップＳ９）。省電力解除指示でなければ（この実施形態では、機器制御情報としてアイドル（ｉｄｌｅ）情報も送出することとしている）、ステップＳ４に進む。
【００３９】
放送受信機能付きファンヒーター１０４においても、放送受信機能付きエアーコンディショナー１０３と同様に放送受信部が制御信号を受信し、制御部が機器制御情報に基づく処理を行うことにより、例えば災害時の消火処理制御を行わせることができる。
【００４０】
また、地域情報を受信し、各機器に設定された地域指定子に一致したときに上述した省電力運転や運転停止処理を行うこととするのがよい。また、省電力運転指令時や運転停止指令時において、例えば「放送波による緊急指令によって運転を停止しました」といったメッセージを音声出力するようにしてもよい。
【００４１】
なお、以上の説明においては、放送受信装置３０が据置型である場合を想定したが、これに限るものではなく、携帯型の放送受信装置についても同様の制御を行わせることができる。また、燃焼機器としてファンヒーター（灯油／ガス）を例示したが、燃焼機器にはガスコンロやガス給湯器等が含まれる。
【００４２】
また、先の例では放送受信装置３０がリモコン送信機２１，２３にて機器を制御することとしたが、放送受信装置３０は単に分離した機器制御情報を出力することとし、各機器は機器制御情報を有線又は無線で受け取って解析し、自身への指令と判断した場合に処理を実行する構成になっていてもよい。かかる構成とする場合は、放送受信装置３０においては各機器制御用のリモコン送信機を備えずに済み、また、各機器においては放送受信機能を備えずに済むことになる。
【００４３】
【発明の効果】
以上説明したように、この発明であれば、各家庭等に設置された機器に対して一斉に省電力運転や緊急運転停止といった制御を行わせることを可能にするという効果を奏する。
【図面の簡単な説明】
【図１】この発明の実施形態のディジタル放送受信装置を示したブロック図である。
【図２】この発明の実施形態の放送受信機能付き機器の説明図である。
【図３】この発明の実施形態の放送受信機能付きエアーコンディショナーの制御内容を示したフローチャートである。
【符号の説明】
１　　アンテナ
２　　チューナ
３　　デマルチプレクサ（ＤＥＭＵＸ）
４　　ＡＶデコーダ
１３　ＣＰＵ
２１　エアーコンディショナー用リモコン送信機
２２　エアーコンディショナー
２３　ファンヒーター用リモコン送信機
２４　ファンヒーター
【図１】
2004112371.tif 000003
【図２】
2004112371.tif 000004
【図３】
2004112371.tif 000005